(57)【特許請求の範囲】
【請求項１】
少なくとも１つのプリント回路板（ＬＰ）または幾つかのプリント回路板（ＬＰ）を収容するマルチパート式の直列に整列可能な電子機器ハウジング（１）であって、
ａ．取付けレールのようなアセンブリベースに外れ止めするための係止手段（２、３）を持つ係止足を備え、
ｂ．係止足を有するハウジングベース（４）、およびそれぞれ電子機器ハウジングを整列方向に制限する２つの相互に平行な主側壁（６、７）を備え、
ｃ．前記ハウジングベース（４）に外れ止めすることができ、かつ前記ハウジングベース（４）に対して別個に形成され、かつ前記主側壁（６、７）を相互に接続する、１つまたは幾つかの側部（１４、１５）、
を備えることを特徴とする電子機器ハウジング。
【請求項２】
前記少なくとも１つまたは幾つかのプリント回路板（ＬＰ）に、パッチプラグが配設され、かつ前記１つまたは幾つかの側部（１４、１５）を前記パッチプラグ（１１）にロックすることができることを特徴とする、請求項１に記載の電子機器ハウジング。
【請求項３】
前記プリント回路板（ＬＰ）が前記パッチプラグおよび前記側部（１４、１５）と共に、前記ハウジングベース（４）内に挿入することのできる予備組立てユニットを構成することを特徴とする請求項２に記載の電子機器ハウジング。
【請求項４】
前記パッチプラグがピンストリップ（１１）として、またはソケットストリップ（１２）として形成されることを特徴とする、請求項３に記載の電子機器ハウジング。
【請求項５】
前記側部（１４、１５）が蓋部（２５）を介して相互に接続され、かつ前記取付けレールに対して直角方向に引き離されないようにクランプのように固定されることを特徴とする、請求項１〜４のいずれか一項に記載の電子機器ハウジング。
【請求項６】
前記主側壁（６、７）が、前記取付けレールから見て、まず、最初により広幅であって前記取付けレールの両側に延びるベース領域（８）を有し、このベース領域（８）の上に、より狭幅の領域（８ｂ）を有するので、前記主側壁（６、７）が前記取付けレールに対して、逆Ｔ字の輪郭を有することを特徴とする、請求項１〜５のいずれか一項に記載の電子機器ハウジング。
【請求項７】
前記ハウジングベース（４）が、前記ベース領域（８ａ）の領域のみに、前記主側壁（６、７）を前記ベース領域（８ａ）で接続する側壁セグメント（９）を有することを特徴とする、請求項６に記載の電子機器ハウジング。
【請求項８】
前記プリント回路板が鋸歯状側部輪郭をも有し、それによって階段状セグメント（１０）が形成され、その上にパッチプラグ（１１）が配設され、それによって前記パッチプラグが整列の方向（Ｘ）に延びることを特徴とする、請求項１〜７のいずれか一項に記載の電子機器ハウジング。
【請求項９】
前記側部（１４、１５）がＵ字形状を示すことを特徴とする、請求項１〜８のいずれか一項に記載の電子機器ハウジング。
【請求項１０】
係止手段によって、前記側部（１４、１５）を前記ハウジングベース（４）にロックすることができることを特徴とする、請求項１〜９のいずれか一項に記載の電子機器ハウジング。
【請求項１１】
前記側部（１４、１５）の内部に、接続および取外し中にパッチプラグであるピンストリップに働く矯正力および圧力が前記電子機器ハウジング（１）に支持されるように設計された、前記パッチプラグであるピンストリップのための支持輪郭部が設けられることを特徴とする、請求項１〜１０のいずれか一項に記載の電子機器ハウジング。
【請求項１２】
前記側部（１４、１５）が、通気機能を設けるために、エアスリットまたはエアスリットとは異なる形状の開口を示すことを特徴とする、請求項１〜１１のいずれか一項に記載の電子機器ハウジング。
【請求項１３】
前記プリント回路板（ＬＰ）のための冷却体が、前記側部（１４、１５）の一方または両方に設けられることを特徴とする、請求項１〜１２のいずれか一項に記載の電子機器ハウジング。
【請求項１４】
前記ハウジングベース（４）は、底部（５）を有することを特徴とする、請求項１〜１３のいずれか一項に記載の電子機器ハウジング。
【発明の詳細な説明】
【技術分野】
【０００１】
本発明は、請求項１の前段に記載の直列に整列可能な電子機器ハウジングに関する。
【背景技術】
【０００２】
そのような電子機器ハウジングはそれ自体公知であるが、特に組立て、および様々な接続技術およびユニットサイズへの適応性に関して、さらなる設計改善が必要である。
【発明の概要】
【発明が解決しようとする課題】
【０００３】
本発明の目的は、この問題を解決することである。
【課題を解決するための手段】
【０００４】
本発明は、請求項１の対象によってこの問題を解決する。
【０００５】
請求項１によると、ハウジングベースに外れ止めすることができ、かつハウジングベースに対し別個に形成される１つまたは幾つかの側部が設けられ、該側部は主側壁を接続する。
【０００６】
そのようにして、電子機器ハウジングを様々な接続技術に簡単に適応させることが可能である。特定の事例毎に、完全なハウジングを新たに設計する必要がなく、異なる側部を作成するだけでよい。
【０００７】
さらに、側部１３、１５を変えることによって簡単に、２つ以上の相互に平行なプリント回路板ＬＰをハウジング内に配設すること、または予備組み立てされた側部と共にプリント回路板を全体としてハウジングベース内に挿置することが、可能である。
【０００８】
さらに、例えば側部を変えることによって、または異なる側部によって、事実上強力な通気機能または冷却機能を持つ電子機器ハウジングを作成することができる。
【０００９】
好ましくは、少なくとも１つのプリント回路板にパッチプラグが配設され、一つまたは複数の側部をパッチプラグに外れ止めすることができる。パッチプラグおよび側部はプリント回路板上に予備組み立てされ、この傷つきやすいコンポーネントはハウジングベース内への組立て中に充分に保護されるので、そのような方法で、組立てを簡素化できることは明らかである。そのような方法で、少なくとも１つのプリント回路板はパッチプラグおよび側部と共に予備組立て可能なユニットを形成し、それをハウジングベースに挿置することができる。
【００１０】
パッチプラグはピンストリップとして、またはソケットボードとして作成される。例えばＲＪ４５プラグまたはソケットのような他のモデルも考えられる。
【００１１】
本発明の有利な実施形態は従属請求項に見られる。
【００１２】
以下で、本発明の例示的実施形態について、図面を参照しながらさらに詳しく説明する。
【図面の簡単な説明】
【００１３】
【図１】電子機器ハウジングの斜視図である。
【図２】プリント回路板を備えた図１の電子機器ハウジングの断面図である。
【図３】図１の電子機器ハウジングの側面図である。
【図４】図１の電子機器ハウジングの上面図である。
【図５】プリント回路板を備えた電子機器ハウジングの部分分解組立斜視図である。
【図６】図１の電子機器ハウジングのセグメントの拡大図である。
【図７】図６に示したセグメントの線Ａ−Ａに沿った断面図である。
【発明を実施するための形態】
【００１４】
図１〜５は、ここには示さないが好ましくはＵ字状の取付けレールに外れ止めするための係止手段２、３付き係止足が設けられた、マルチパート式の直列に整列可能な電子機器ハウジング１の斜視図を示す。必須ではないが好適な設計は、取付けレールに外れ止めすることができることを特徴とする。また、異なる種類のアセンブリベース上に配置するための基本的ハウジング１を設計することも考えられ、その場合は、それに応じて係止足を変更しなければならない。
【００１５】
電子機器ハウジングは、取付けレールの方向Ｘ（図１）に対して直角に、すなわち図３の紙面に直角に、相互に隣接して直列に配設することができる。
【００１６】
電子機器ハウジングは、プラスチックから成る射出成形体として一体に形成することが好ましいハウジングベース４を有し、それは係止手段２、３付き係止足を有し、係止手段の一方は係止縁を有し、他方の係止手段は一種の摺動体または作動摺動体とすることができる。
【００１７】
ハウジングベース４はさらに、取付けレールの方向に底部５を有することが好ましく（この事例では、係止縁３の領域のみに認められる）、それは閉鎖状態に作ることができ、または例えば通気スリットまたは通気ダクトを取り付けるために開口を設けることができる。底部領域５は取付けレールの両側に延びることが好ましい。係止足の領域に、取付けレールにおける棒状母線に接触するための手段（ここには図示せず）を設けることができる。
【００１８】
底部領域５に隣接して、取付けレールから遠ざかるように垂直方向上方に延びる２つの側壁６、７があり、それらは相互に平行に整列することが好ましく、かつ電子機器ハウジングのモジュール寸法から間隔Ｘ１で配置される。以下、側壁を主側壁６、７と呼ぶ（図５参照）。主側壁は、電子機器ハウジング１の整列方向Ｘの幅Ｘ１を決定する。
【００１９】
主側壁６、７は、取付けレールの上に整列方向Ｘに対して直角に延びる。主側壁の幅は、取付けレールからの距離が上方（Ｚ方向）に増すにつれて大きくなる。取付けレールからＺ方向に見て、主側壁は、なによりもまずＹ方向により広幅であって取付けレールの両側に延びるベース領域８ａを最初に有し、このベース領域８の上にはより狭幅の領域８ｂを有するので、主側壁６、７は取付けレールに対して、本質的に逆Ｔ字の輪郭を有する。
【００２０】
ハウジングベースは、少なくともベース領域８ａに、主側壁６、７をベース領域８ａで接続する比較的短い側壁部９をも有する。
【００２１】
図１の上部に示すように、基本ハウジング１には、側壁６、７の間に、少なくとも１つまたは幾つかのプリント回路板ＬＰ用の収容室が作られる。
【００２２】
このプリント回路板ＬＰは好ましくは、少なくともセクション毎に、略鋸歯状の側部輪郭を有し、それによってプリント回路板の縁部に階段状セグメント１０（図５）が形成され、該セグメントは、例えばはんだ付け技術を用いて導電的にコンタクト領域（ここでは詳細には認識できない）を介してプリント回路板と接続される、少なくとも１つまたは幾つかのピンストリップ（または代替的にソケットストリップ）を、プリント回路板ＬＰの縁部に配設するために使用される。
【００２３】
ピンストリップ１１は、中間仕切り１３によって相互に分離された幾つかの相互分離接続室１２を有し、該接続室は、各事例で、接続ピン２７を受容するように設計される（図７参照）。
【００２４】
同様に、ピンストリップに外れ止めするために使用される、図１にも認められるようなソケットストリップ２６をプリント回路板ＬＰに取り付けることが可能である。
【００２５】
ピンストリップ１１は、各事例で、それらがプリント回路板縁部の両側に略直角に延びるように階段状セグメント１０に着座し、それによってピンストリップが、各事例で、対応するソケットストリップ２６に、取付けレールに対して「上から下」の方向に本質的に差し込むことができるように、階段状セグメント１０の下脚上に静置することが好ましい。
【００２６】
ハウジングベース４は、ベースの上の領域では、主側壁６、７の間に、それと一体的に接続されかつ電子機器ハウジング１の全周を閉鎖する側部を持たない。
【００２７】
図１〜４に示す設計はさらに、ハウジングベース４上に固定することができ、かつ基本ハウジング１に当接設置することができ、かつ好ましくはロック状態に固定することのできる、側部１４、１５の形成をもたらす。該側部は主側壁６、７を相互に接続し、かつ主側壁に対して直角方向に整列する。
【００２８】
上面図で、側部１４、１５は本質的にＵ字状の輪郭を有する。該側部はハウジングベース４に、特に該側部の長手脚の領域で、キャッチ手段１６、１７により、対応するキャッチ手段１８、１９または２０、２１にロックすることができることが好ましい。
【００２９】
ここで、係止手段２０および２１は、側部１４、１５のＴ字状キャッチ２０を主側壁６、７のベース８の外側にある凹部２１にスナップ固定することができるように形作られた、ロックの対応要素を形成する。凹部２１はＴ字状であり、それは主側壁５、６に両側から成形されるが、主側壁を貫通しないことが好ましい（図５参照）。全部で４つのこれらのロックがここに設けられる（各主側壁に２つずつ）。
【００３０】
Ｕ字状側部１４、１５は、図３の側面図では、同様にセグメント毎に階段状輪郭を有し、そこに凹部２２が設けられ、組み立てられた状態で、ストリップピン１１が該凹部内に静置し、それによってストップピン１１が凹部２２を介してソケットストップ２６と接触することができるように設計され、配設される。
【００３１】
側部１４、１５の内部に、ストリップピンのための支持輪郭部を設けることが好ましく、それは、接続および取外し中にストリップピンに作用する牽引力および圧力が傷つきやすいプリント回路板に支持されるのではなく、むしろ側部１４、１５を介して電子機器ハウジング（図示せず）に支持されるように形作られる。
【００３２】
さらに、側部１４は、長手方向脚の内側に作られた係止手段により、この例では、ピンストリップ１１の係止凹部内または縁２９の後部の係止突起２８により、プリント回路板ＬＰにロックすることができる（図７）。
【００３３】
そのようにして、側部１４、１５はプリント回路板に予備組み立てすることができる。この予備組み立てされたユニット全体を、ハウジングベース４内に挿置することができ、かつそこにロックすることができ、それによってキャッチ２０付き側部は輪郭部２１にスナップ係合される。
【００３４】
鋸歯状輪郭部より下のハウジングベース２３は、通気機能を設けるために、エアスリットまたは異なる形状の開口を形成する目的のために使用することができる。
【００３５】
好ましくは、電子機器ハウジングの全ての部分、すなわち、特に基本的ハウジングおよび側部１４、１５は絶縁プラスチックから作られる。
【００３６】
しかし、側部１４，１５を金属から作り、かつ／または電子機器ハウジングのコンポーネントを例えばプラスチックまたは金属のような異なる材料から作ることも考えられる。
【００３７】
また、冷却用開口の隣に、例えばプリント回路板に平行に延びるか、あるいはハウジングから外に延びて、熱を放出するために使用される、一種の冷却用リブ２４を側部１４、１５に設けることも可能である。
【００３８】
Ｘ方向に、図１に示す電子機器ハウジング１の大きさは例えば１２．５ｍｍになる。
【００３９】
電子機器ハウジング１は、好ましくは側部１４、１５の上、および主側壁５、６の上にロック状に固定することのできる蓋部２５によって、頂部付近を閉鎖される。図１によると、このロック動作は、側部１４、１５が取付けレールに対して直角方向に（Ｙ方向に）引き離されることが蓋部２５によって防止されるように、側部１４、１５の背後を外側から（Ｙ方向に）掴持するクランプのように行なうことが好ましい。また蓋部２５は、追加して接続部を設けることもでき、さらに／またはマーク表示のために使用することもできる。
【００４０】
ハウジングは、取付けレールの方向に１２．５ｍｍ以上にわたって延在することが好ましい。
【００４１】
ここで、電子機器ハウジング１は、２つ以上のプリント回路部品ＬＰ（図示せず）を収容することができるように設計することが考えられる。
【００４２】
この場合、側部１４、１５は、ピンストリップが側部に接触することができるように設計され、また凹部２２も、他の接続、例えばＲＪ４５形式のプラグ、導光プラグ、または異なる種類のプラグもしくはソケットが、凹部を介して到達することができるように設計される。
【００４３】
鋸歯状の形のおかげで、取付けレールに対して直角方向に比較的高く構築することが可能であり、ほとんどの場合、構造的空間はその方向にあまり制限されないので、それは好都合である。
【符号の説明】
【００４４】
１…基本的ハウジング、２、３…キャッチ手段、４…ハウジングベース、５…底部、６、７…側壁、８…ベース領域、９…側壁部、９…プリント回路板、１０…セグメント、１１…ピンストリップ、１２…接続室、１３…中間仕切り、１４、１５…側部、１６、１７…キャッチ手段、１９…領域、１８、１９、２０、２１…係止手段、２０…キャッチ、２２…凹部、２３…ハウジングベース、２４…冷却用開口、２５…蓋部、２６…ソケットストリップ、２７…接続ピン、２８…係止突起、２９…縁部、３０…ロック、ＬＰ…プリント回路板
【図１】
0005487430.tif 000002
【図２】
0005487430.tif 000003
【図３】
0005487430.tif 000004
【図４】
0005487430.tif 000005
【図５】
0005487430.tif 000006
【図６】
0005487430.tif 000007
【図７】
0005487430.tif 000008